(57)【要約】      （修正有）【課題】表裏での外観の差を小さくすることが可能な透光性布帛を提供する。【解決手段】透孔布帛２の一方側表面に不透光性模様３の裏面側を付着させて形成され、不透光性模様の表面側に、透孔布帛模様４を印刷しておく透光性布帛。不透光性模様は金属箔の転写を含み顔料又は金属粉の少なくとも一方は含む極樹インクの印刷層で形成する、透光性布帛。【選択図】図１
2019069544.tif 000002
【特許請求の範囲】
【請求項１】
透孔布帛の一方側表面に不透光性模様の裏面側を付着させて形成される透光性布帛において、
不透光性模様の表面側に、透孔布帛模様を印刷しておく、
ことを特徴とする透光性布帛。
【請求項２】
前記不透光性模様は、金属箔の部分転写層を含む、
ことを特徴とする請求項１記載の透光性布帛。
【請求項３】
前記不透光性模様は、顔料または金属粉の少なくとも一方を含む樹脂インクの印刷層で形成する、
ことを特徴とする請求項１または２記載の透光性布帛。
【発明の詳細な説明】
【技術分野】
【０００１】
本発明は、紗織りやオーガンジーなどの透孔布帛に装飾用の不透光性模様が付加されて形成される透光性
【０００２】
従来から、仏壇の内障子などには、金属箔付透孔布帛などの透光性布帛が用いられている（たとえば、特許文献１参照）。仏壇を寺院に見立てると、扉は山門に相当し、内障子は扉とは独立して開閉可能である。扉を開いて、内障子を開放することは、寺院の内陣を開放することに相当する。内障子を閉じても内陣が見通せるように、内障子には紗織りのような透光性を有する透孔布帛が装着される。内障子は、開いた状態でも、閉じた状態でも、同様に装飾されている方が好ましい。このため、内障子では、透孔布帛の片面に、金属箔、あるいは金属箔の片面または両面に有色薄膜を積層した積層膜を部分転写して装飾模様付けした金属箔付透孔布帛が用いられる。
【０００３】
本件出願人は、特許文献１で、表裏の光沢が同様に見える金属箔付透孔布帛を提案している。金属箔付透孔布帛は、金属光沢に表裏の差がないことを目的とし、金属箔の表面側に艶消し層を形成し、透孔布帛で消されて上品になる裏面側と同様の光沢が得られるようにしている。
【先行技術文献】
【特許文献】
【０００４】
【特許文献１】特開２０１６−１７２３２７号公報
【発明の概要】
【発明が解決しようとする課題】
【０００５】
特許文献１では、金属箔付透孔布帛を、紗織りばかりではなく、絽やレースなどに用い、室内装飾などに使用することも可能としている。カーテンやリボンなどに表裏が同様に見える透孔布帛を使用すれば、独特の装飾効果が得られると期待される。
【０００６】
しかしながら、透孔布帛に形成する不透光性模様の面積が大きくなると、裏面側では透孔布帛の緯糸と経糸との織目が目立ち、表面側を艶消しにして光沢を裏面側と同様にするだけでは、外観の差を解消させることができなくなる。
【０００７】
本発明の目的は、表裏での外観の差を小さくすることが可能な透光性布帛を提供することである。
【課題を解決するための手段】
【０００８】
本発明は、透孔布帛の一方側表面に不透光性模様の裏面側を付着させて形成される透光性布帛において、
不透光性模様の表面側に、透孔布帛模様を印刷しておく、
ことを特徴とする透孔性布帛である。
【０００９】
また本発明で、前記不透光性模様は、金属箔の部分転写層を含む、
ことを特徴とする。
【００１０】
また本発明で、前記不透光性模様は、顔料または金属粉の少なくとも一方を含む樹脂インクの印刷層で形成する、
ことを特徴とする。
【発明の効果】
【００１１】
本発明によれば、不透光性模様部分は、裏面側から付着している透孔布帛が見え、表面側から印刷されている透孔布帛模様が見えるので、表裏での外観の差を小さくすることができる。
【００１２】
また本発明によれば、不透光性模様は、金属箔の部分転写層で形成し、表面側に透孔布帛模様を印刷しておくので、金属光沢の艶消し具合も含めて表裏の外観の差を小さくすることができる。金属箔の厚みが小さければ、透孔布帛の緯糸および経糸による織目構造が表面側の凹凸にも反映され、印刷される透孔布帛模様の立体感を補強して、外観の差を解消させることができる。
【００１３】
また本発明によれば、不透光性模様を、顔料または金属粉の少なくとも一方を含む樹脂インクの印刷層で形成する。不透光性模様の部分で透孔布帛が表面側から見えなくなっても、不透光性模様表面に透孔布帛模様を印刷するので、表裏での外観の差を小さくすることができる。
【図面の簡単な説明】
【００１４】
【図１】図１は、本発明の実施例１である透光性布帛１の表裏を示す模式的な正面図および背面図である。
【図２】図２は、図１の透光性布帛１の構成およびその転写素材の提供状態を示す模式的な断面図である。
【図３】図３は、本発明の実施例２である透光性布帛３１の構成およびその転写素材の提供状態を示す模式的な断面図である。
【発明を実施するための形態】
【００１５】
以下、図１および図２で、本発明の実施例１としての透光性布帛１について説明する。また図３で、本発明の実施例２としての透光性布帛３１について説明する。説明の便宜上、説明対象の図には記載されていない部分について、他の図に記載される参照符を付して言及する場合がある。また、同様な機能を有する部分は、同一の参照符を付して重複する説明を省略する場合がある。ただし、同一の参照符が付されていても、素材などを含めて完全に同一ではない場合がある。
【実施例１】
【００１６】
図１は、本発明の実施例１としての透光性布帛１の表裏を模式的に示す。透光性布帛１は、たとえば仏壇の内障子への使用を想定して、紗織りの透孔布帛２の一方側表面に不透光性模様３となる金属箔を部分転写で付着させて形成する。（ｂ）に示す裏面側は、透孔布帛２を介して、不透光性模様３の裏側が見える状態となり、不透光性模様３の金属箔としての光沢は緩和される。不透光性模様３が付着していない透孔布帛２の部分は、表側と裏側とのいずれから見ても、背景が透けて見え、透孔布帛２自体はあまり目立たない。これに対し、不透光性模様３が存在する部分を裏側から見ると、透孔布帛２の緯糸と経糸との織目構造が目立つ場合がある。たとえば、緯糸と経糸とによる目が粗くなっていたり、布帛の糸の色が金属箔の色と異なっていたりすれば織目構造が目立つ。逆に、目が詰んでいれば、織目構造のメッシュが細かくなってあまり目立たなくなり、不透光性模様３が細かいような場合も織目構造はあまり目立たない。本実施例１のように、不透光性模様３として「山カスミ」を使用すると、特許文献１の図３や図５に示す「唐草」よりも模様の面積が大きくなるので、裏面側では、織目構造が目立つようになる。
【００１７】
図１（ａ）は、透光性布帛１の表面側を示す。表面側では、不透光性模様３の表面に、透孔布帛模様４を印刷しておき、不透光性模様３が付着している部分の表裏の外観を合わせている。すなわち、不透光性模様３の部分では、裏面側から付着している透孔布帛２が見え、表面側から印刷されている透孔布帛模様４が見えるので、表裏での外観の差を小さくすることができる。
【００１８】
図２は、透光性布帛１の断面構成およびその転写素材の提供状態を示す。（ａ）に示すように、透光性布帛１は、透孔布帛２の表面に不透光性模様３を、表面に透孔布帛模様４が印刷された状態で付着させて形成する。不透光性模様３は、アルミニウム蒸着層１１の裏面側と表面側とに、黄色系の着色層１２，１３を形成し、さらに着色層１３上に透孔布帛模様４を印刷したものを、透孔布帛２上に部分転写して形成する。着色層１２，１３は単一色で一様な色づけをするばかりではなく、柄が印刷されるようにしてもよい。不透光性模様３と透孔布帛２との間には、接着剤層１５が設けられる。
【００１９】
図２（ｂ）は、不透孔性模様３として提供される転写素材の断面構成を示す。不透孔性模様３は、アルミニウム蒸着層１１の金属光沢で模様を形成するために使用される。アルミニウム蒸着層１１を、紙や透孔布帛２などの凹凸や透孔を有する素材上に蒸着させて一様な被膜を得ることは困難なので、平坦な樹脂フィルムを基材シート２０として蒸着のベースに利用する。まず、基材シート２０上に離型剤層２１を形成し、透孔布帛模様４を先に印刷しておく。透孔布帛模様４の次に着色層１３を形成してから、アルミニウム蒸着層１１を数１００〜１０００オングストロームの厚さとなるように真空蒸着などで形成し、さらに着色層１２を形成する。着色層１２，１３は、透明な樹脂の塗膜のみ形成してもよい。透明な樹脂の塗膜を形成する場合、アルミニウム蒸着層１１は、銀色に見える。着色層１２，１３として、黄色系とは異なる色の塗膜を形成すれば、金属光沢を有する着色状態を得ることができる。アルミニウム蒸着層１１に替えて、金、銀、亜鉛、クロムなどの他の金属や合金などの蒸着層を用いることもできる。また、家庭用のクッキングホイルで７ミクロン程度の厚さとなるようなアルミニウム箔（Ａｌ）など、圧延加工によって形成される金属箔や、圧延加工後に箔を叩き延す箔打ち加工で０．１ミクロン程度の厚さとなるような金（Ａｕ）箔をアルミニウム蒸着層１１に替えて使用することもできる。他の金属箔として、洋白箔、真鍮箔、銀（Ａｇ）箔、白金（Ｐｔ）箔を使用することもできる。
【００２０】
図２（ａ）に示すような部分転写された不透光性模様３は、（ｂ）に示す転写素材を、透孔布帛２の表面に印刷された接着剤層１５を介して付着させて形成する。たとえば、グラビア印刷で設ける接着剤層１５を介して転写素材を貼付け、接着剤層１５の硬化後に、基材シート２０側から剥離させる。接着剤層１５が形成された部分では、基材シート２０と透孔布帛模様４との間が離型剤層２１で分離し、不透光模様３が残る。接着剤層１５が形成されない部分では、離型剤層２１で分離しないで、転写素材の全体を除去することができる。転写素材が除去された部分は、表裏とも透孔布帛２が同様に見えるようになる。不透光模様３の表面に印刷される透孔布帛模様４は、透孔布帛２への貼付け前に形成され、透孔布帛２が伸縮みしやすいこともあって、透孔布帛模様４と透孔布帛２の編目構造を合わせることは困難である。しかしながら、透孔布帛２の部分は、透けていて背景が見えていて織目が目立たなければ、不透光性模様３に比較してあまり目立つことはなく、透光性布帛１の表面側でも、不透光性模様３に透孔布帛模様４が形成されていることが、裏面側との外観の差を小さくしている。
【００２１】
図２（ｃ）に示すように、アルミニウム蒸着層１１などの部分転写の過程で、接着剤層１５を介して転写素材を透孔布帛２上に貼付ける際に押圧すると、不透光性模様３の厚さが薄いので、表面側から見ると不透光性模様３が下層の透孔布帛２の織目構造を拾う。この結果、透孔布帛２の緯糸２ａおよび経糸２ｂによる織目構造が不透光性模様３の表面側の凹凸にも反映され、外観の差を解消させることができる。たとえば、透孔布帛模様４と同様な模様を印刷しただけの紙では、織物の感じはあまり得られない。しかし、透孔布帛模様４のような模様を印刷し、透孔布帛と同様な織物構造の布目の凹凸をエンボス加工によって入れると立体感が出て、織物に近いように見える。透孔布帛２の場合、凹凸と透孔布帛模様４との位置がずれていても、凹凸で印刷される透孔布帛模様４の立体感を補強することができる。
【実施例２】
【００２２】
図３は、本発明の実施例２としての透光性布帛３１の断面構成およびその転写素材の提供状態を示す。（ａ）に示すように、透光性布帛３１では、図２のアルミニウム蒸着層１１を使用する不透光性模様３に替えてし、樹脂インクの印刷で形成する樹脂層３０を含む不透光性模様３３を使用して部分転写する。樹脂層３０は、充填材や、顔料または金属粉の少なくとも一方である着色材などを含み、不透光性にしておく。着色層１３には、透孔布帛模様４との親和性の高い樹脂を使用する。着色層１２は、表裏で同一の外観となるように、着色層１３と同様に形成する。（ｂ）に示す転写素材は、平坦な基材シート２０上に全面印刷で形成するので、金属蒸着よりも生産性を上げることができる。樹脂層３０の遮光性が高くなって裏面側の透孔布帛２が表面側から見えなくなっても、透孔布帛模様４を印刷するので、表裏での外観の差を小さくすることができる。特に、樹脂層３０を薄くしておけば、表面側に透孔布帛２の凹凸が反映されるので、立体感の差も小さくすることができる。
【００２３】
不透光性模様３は、面積が大きいような場合、樹脂層３０は、接着剤層１５を介して部分転写するばかりではなく、直接透孔布帛２に印刷したり、シート状の樹脂層３０からカッティングマシーンで裁断して貼付けたりして形成することもできる。そのような不透光性模様３の表面への透孔布帛模様４の印刷は、インクジェット方式などを利用して行うことができる。
【００２４】
なお、各実施例の透光性布帛１，３１は、透孔布帛２として紗織りを使用する仏壇の内障子ばかりではなく、透孔布帛２として絽やレースなどを用いる室内装飾や、オーガンジーやシフォンなどを使用する衣料、カーテンやリボンなどに使用することもできる。
【符号の説明】
【００２５】
１  透光付布帛
２  透孔布帛
３，３３  不透光性模様
４  透孔布帛模様
１１  アルミニウム蒸着層
１２，１３  着色層
１５  接着剤層
３０  樹脂層
【図１】
2019069544.tif 000003
【図２】
2019069544.tif 000004
【図３】
2019069544.tif 000005